(57)【要約】      （修正有）【課題】突入電流による過大な光信号の送信を防止する。【解決手段】光モジュールは、回転軸３２を中心に第１位置Ｐ１と第２位置Ｐ２の間で弧を描く動きをするようにケース１０に取り付けられた揺動部材３８と、スライダ２４のスライドに連動して、ケース１０から出入りする部分を有するように動く従動部材４４と、を有する。揺動部材３８が第１位置Ｐ１にあるときに、従動部材４４の一部がケース１０から突出してケース１０のケージ４８への挿入を妨げ、カバー部４２は光ファイバ５６の挿入口を避ける位置で光ファイバ５６の差し込みを許容する。揺動部材３８が第２位置Ｐ２にあるときに、従動部材４４の一部はケース１０の外側から退避してケース１０のケージ４８への挿入を許容し、カバー部４２は光ファイバ５６の挿入口を覆う位置で光ファイバ５６の差し込みを妨げる。【選択図】図１Ａ
2011141520.tif 000002
【特許請求の範囲】
【請求項１】
ケージへの脱着が可能な光モジュールであって、
内部に光素子を有し、前記光素子と光学的に接続するための光ファイバの挿入口を有するケースと、
スライドできるように前記ケースの外側に配置されたスライダと、
回転軸を中心に第１位置と第２位置の間で弧を描く動きをするように前記ケースに取り付けられ、前記弧を描く動きが直線運動に変換されるようにして前記スライダをスライドさせるラッチ部と、前記光ファイバの前記挿入口を覆う位置と前記挿入口を避ける位置との間を動くカバー部と、を有する揺動部材と、
前記スライダのスライドに連動して、前記ケースから出入りする部分を有するように動く従動部材と、
を有し、
前記揺動部材が前記第１位置にあるときに、前記従動部材の一部が前記ケースから突出して前記ケースの前記ケージへの挿入を妨げ、前記カバー部は前記光ファイバの前記挿入口を避ける位置にあって前記光ファイバの差し込みを許容し、
前記揺動部材が前記第２位置にあるときに、前記従動部材の前記一部は前記ケースの外側から退避して前記ケースの前記ケージへの挿入を許容し、前記カバー部は前記光ファイバの前記挿入口を覆う位置にあって前記光ファイバの差し込みを妨げることを特徴とする光モジュール。
【請求項２】
請求項１に記載された光モジュールにおいて、
前記従動部材は、前記ケースから出入りする方向に延びる板バネであることを特徴とする光モジュール。
【請求項３】
請求項２に記載された光モジュールにおいて、
前記ケースは、前記板バネを前記ケースから出し入れするための第１穴と、前記板バネを前記スライダに固定するための第２穴と、を有することを特徴とする光モジュール。
【請求項４】
請求項３に記載された光モジュールにおいて、
前記第１穴は、前記板バネを９０°未満の角度で湾曲させるように、前記ケースの壁部の厚み方向に対して屈曲した斜めの方向に形成されていることを特徴とする光モジュール。
【請求項５】
請求項２から４のいずれか１項に記載された光モジュールにおいて、
前記ケージに前記ケースが装着された状態で、前記揺動部材を前記第２位置から前記第１位置の方向に動かしたときに、前記板バネの先端が前記ケージの内面に接触し、前記揺動部材が前記第１位置の方向に到達したときに、前記板バネが前記ケースの内部で屈曲するように、前記板バネの長さが設定されていることを特徴とする光モジュール。
【請求項６】
請求項２から５のいずれか１項に記載された光モジュールにおいて、
前記ケースは、内部に前記板バネの動きを規制するガイド部を有することを特徴とする光モジュール。
【請求項７】
請求項１から６のいずれか１項に記載された光モジュールにおいて、
前記カバー部は、弾性変形可能な板状部材であり、変形しながら前記挿入口を遮る経路を移動することを特徴とする光モジュール。
【請求項８】
請求項７に記載された光モジュールにおいて、
前記カバー部は、前記ケースの内部に配置されていることを特徴とする光モジュール。
【請求項９】
請求項７又は８に記載された光モジュールにおいて、
前記カバー部の前記経路は、屈曲経路を有し、
前記カバー部を前記屈曲経路に沿って移動させる屈曲ガイド部をさらに有することを特徴とする光モジュール。
【請求項１０】
請求項９に記載された光モジュールにおいて、
前記カバー部の前記経路は、直線経路を有し、
前記カバー部を前記直線経路に沿って移動させる直線ガイド部をさらに有することを特徴とする光モジュール。
【請求項１１】
請求項７から１０のいずれか１項に記載された光モジュールにおいて、
前記カバー部は、前記挿入口を遮る位置を通る側の端部に第１係合部を有し、
前記カバー部が前記挿入口を遮るときに前記第１係合部と係合する第２係合部を、前記ケースの内部に有することを特徴とする光モジュール。
【請求項１２】
請求項１１に記載された光モジュールにおいて、
前記第１係合部及び前記第２係合部の少なくとも一方は、弾性変形可能な部位を有し、当該部位の弾性変形によって、前記第１係合部及び前記第２係合部を係合及び解除することを特徴とする光モジュール。
【請求項１３】
請求項７から１２のいずれか１項に記載された光モジュールにおいて、
前記揺動部材は、前記回転軸を中心に回転する本体部と、前記本体部と前記カバー部を連結する連結部と、を含み、
前記連結部と前記本体部との取り付け部は、前記回転軸から離れた位置にあり、
前記揺動部材の前記第２位置から前記第１位置への動きに伴って前記取り付け部が動く方向に、前記連結部は、前記取り付け部から延びていることを特徴とする光モジュール。
【請求項１４】
請求項１３に記載された光モジュールにおいて、
前記連結部は、弾性変形可能な板状部材であり、前記揺動部材の動きに伴って変形しながら移動することを特徴とする光モジュール。
【発明の詳細な説明】
【技術分野】
【０００１】
本発明は、光モジュールに関する。
【背景技術】
【０００２】
光ファイバ通信に用いられる光モジュールとして、破損や性能劣化などに伴う交換を容易にするため、脱着可能なプラガブル構造を有するものが知られている（特許文献１及び２参照）。光モジュールは、光ファイバの送信側及び受信側のそれぞれに脱着できるように接続されている。また、光モジュールは、電子回路を有する回路基板に搭載されたケージに脱着できるようになっている。
【０００３】
従来の光モジュールは、光ファイバを装着した状態であっても未装着の状態であってもケージに着脱することができるようになっていた。
【先行技術文献】
【特許文献】
【０００４】
【特許文献１】特開２００８−２５７２３５号公報
【特許文献２】特開２００８−２３３６４５号公報
【発明の概要】
【発明が解決しようとする課題】
【０００５】
電子回路を駆動した状態（ＯＮにした状態）で、光ファイバが装着された光モジュールをケージに挿入すると、コネクタの電極と光モジュールの電極が接触したときに、突入電流（インラッシュカレント）が流れる。突入電流によって送信側の光モジュールには過大な光信号が生じ、定格値以上のパワーの光が受信側の光モジュールに伝送されてしまうという問題があった。
【０００６】
本発明は、突入電流による過大な光信号の送信を防止することを目的とする。
【課題を解決するための手段】
【０００７】
（１）本発明に係る光モジュールは、ケージへの脱着が可能な光モジュールであって、内部に光素子を有し、前記光素子と光学的に接続するための光ファイバの挿入口を有するケースと、スライドできるように前記ケースの外側に配置されたスライダと、回転軸を中心に第１位置と第２位置の間で弧を描く動きをするように前記ケースに取り付けられ、前記弧を描く動きが直線運動に変換されるようにして前記スライダをスライドさせるラッチ部と、前記光ファイバの前記挿入口を覆う位置と前記挿入口を避ける位置との間を動くカバー部と、を有する揺動部材と、前記スライダのスライドに連動して、前記ケースから出入りする部分を有するように動く従動部材と、を有し、前記揺動部材が前記第１位置にあるときに、前記従動部材の一部が前記ケースから突出して前記ケースの前記ケージへの挿入を妨げ、前記カバー部は前記光ファイバの前記挿入口を避ける位置にあって前記光ファイバの差し込みを許容し、前記揺動部材が前記第２位置にあるときに、前記従動部材の前記一部は前記ケースの外側から退避して前記ケースの前記ケージへの挿入を許容し、前記カバー部は前記光ファイバの前記挿入口を覆う位置にあって前記光ファイバの差し込みを妨げることを特徴とする。本発明によれば、光ファイバを差し込んだままでは光モジュールをケージに装着することができないため、突入電流による過大な光信号の送信を防止することができる。
【０００８】
（２）（１）に記載された光モジュールにおいて、前記従動部材は、前記ケースから出入りする方向に延びる板バネであることを特徴としてもよい。
【０００９】
（３）（２）に記載された光モジュールにおいて、前記ケースは、前記板バネを前記ケースから出し入れするための第１穴と、前記板バネを前記スライダに固定するための第２穴と、を有することを特徴としてもよい。
【００１０】
（４）（３）に記載された光モジュールにおいて、前記第１穴は、前記板バネを９０°未満の角度で湾曲させるように、前記ケースの壁部の厚み方向に対して屈曲した斜めの方向に形成されていることを特徴としてもよい。
【００１１】
（５）（２）から（４）のいずれか１項に記載された光モジュールにおいて、前記ケージに前記ケースが装着された状態で、前記揺動部材を前記第２位置から前記第１位置の方向に動かしたときに、前記板バネの先端が前記ケージの内面に接触し、前記揺動部材が前記第１位置の方向に到達したときに、前記板バネが前記ケースの内部で屈曲するように、前記板バネの長さが設定されていることを特徴としてもよい。
【００１２】
（６）（２）から（５）のいずれか１項に記載された光モジュールにおいて、前記ケースは、内部に前記板バネの動きを規制するガイド部を有することを特徴としてもよい。
【００１３】
（７）（１）から（６）のいずれか１項に記載された光モジュールにおいて、前記カバー部は、弾性変形可能な板状部材であり、変形しながら前記挿入口を遮る経路を移動することを特徴としてもよい。
【００１４】
（８）（７）に記載された光モジュールにおいて、前記カバー部は、前記ケースの内部に配置されていることを特徴としてもよい。
【００１５】
（９）（７）又は（８）に記載された光モジュールにおいて、前記カバー部の前記経路は、屈曲経路を有し、前記カバー部を前記屈曲経路に沿って移動させる屈曲ガイド部をさらに有することを特徴としてもよい。
【００１６】
（１０）（９）に記載された光モジュールにおいて、前記カバー部の前記経路は、直線経路を有し、前記カバー部を前記直線経路に沿って移動させる直線ガイド部をさらに有することを特徴としてもよい。
【００１７】
（１１）（７）から（１０）のいずれか１項に記載された光モジュールにおいて、前記カバー部は、前記挿入口を遮る位置を通る側の端部に第１係合部を有し、前記カバー部が前記挿入口を遮るときに前記第１係合部と係合する第２係合部を、前記ケースの内部に有することを特徴としてもよい。
【００１８】
（１２）（１１）に記載された光モジュールにおいて、前記第１係合部及び前記第２係合部の少なくとも一方は、弾性変形可能な部位を有し、当該部位の弾性変形によって、前記第１係合部及び前記第２係合部を係合及び解除することを特徴としてもよい。
【００１９】
（１３）（７）から（１２）のいずれか１項に記載された光モジュールにおいて、前記揺動部材は、前記回転軸を中心に回転する本体部と、前記本体部と前記カバー部を連結する連結部と、を含み、前記連結部と前記本体部との取り付け部は、前記回転軸から離れた位置にあり、前記揺動部材の前記第２位置から前記第１位置への動きに伴って前記取り付け部が動く方向に、前記連結部は、前記取り付け部から延びていることを特徴としてもよい。
【００２０】
（１４）（１３）に記載された光モジュールにおいて、前記連結部は、弾性変形可能な板状部材であり、前記揺動部材の動きに伴って変形しながら移動することを特徴としてもよい。
【図面の簡単な説明】
【００２１】
【図１Ａ】本発明の実施の形態に係る光モジュールをケージに装着することができない状態を説明する図である。
【図１Ｂ】本発明の実施の形態に係る光モジュールをケージに装着することができない状態を説明する図である。
【図２Ａ】本発明の実施の形態に係る光モジュールをケージに装着するときの状態を説明する図である。
【図２Ｂ】本発明の実施の形態に係る光モジュールをケージに装着するときの状態を説明する図である。
【図３Ａ】本発明の実施の形態に係る光モジュールをケージに固定した状態を説明する図である。
【図３Ｂ】本発明の実施の形態に係る光モジュールをケージに固定した状態を説明する図である。
【図４】本発明の実施の形態に追加可能な構造を説明する図である。
【図５】図４に示す構造において挿入口を閉じた状態を説明する図である。
【図６】図４に示す構造においてカバー部を係合した状態を説明する図である。
【図７】図４に示す構造においてカバー部の係合を解除した状態を説明する図である。
【発明を実施するための形態】
【００２２】
以下、本発明の実施形態について図面を参照して説明する。
【００２３】
図１Ａ、図２Ａ及び図３Ａには、それぞれ、本発明の実施形態に係る光モジュールの異なる操作状態での側面が示されている。図１Ｂには、図１Ａに示す光モジュールの横断面が示されている。図２Ｂには、図２Ａに示す光モジュールの横断面が示されている。図３Ｂには、図３Ａに示す光モジュールの横断面が示されている。
【００２４】
光モジュールは、光通信で使用されるXFP (10 Gigabit Small Form Factor Pluggable)に準拠している。光モジュールは、ケース１０を有する。ケース１０は、複数の光素子１２（少なくとも１つは発光素子であり、残りは受光素子）その他の電子部品が搭載された回路基板１４を収容する。回路基板１４には、電気コネクタ１６が設けられている。電気コネクタ１６は光素子１２と電気的に接続されている。
【００２５】
ケース１０は、光素子１２と光学的に接続するための光ファイバ５６の挿入口１８を有する。挿入口１８は、光ファイバ５６を接続するための光コネクタ（光レセプタクル）の開口である。ケース１０は第１穴２０を有する。第１穴２０は、ケース１０の壁部の厚み方向に対して屈曲した斜めの方向に形成されている。ケース１０は第２穴２２を有する。第１穴２０は、第２穴２２よりも、電気コネクタ１６に近い側に形成されている。第２穴２２は、第１穴２０よりも、光ファイバ５６の挿入口１８に近い側に形成されている。
【００２６】
ケース１０の側面には、図１Ａ、図２Ａ及び図３Ａに示すように、スリット２８が形成されている。ケース１０には、スリット２８よりも挿入口１８側に回転軸３２が設けられている。
【００２７】
光モジュールは、例えば図１Ａと図２Ａを比較して分かるように、スライドできるようにケース１０の外側に配置されたスライダ２４を有する。ケース１０には、溝２６が形成され、スライダ２４は溝２６にガイドされて移動するようになっている（図１Ｂ及び図２Ｂ参照）。溝２６は、光モジュールの、電気コネクタ１６と光ファイバ５６の挿入口１８との間の方向に沿って形成されている。言い換えると、溝２６は、光モジュールの、ケージ４８との脱着方向に沿って形成されている。そして、この方向に沿って、スライダ２４の移動がガイドされる。
【００２８】
スライダ２４の側面にもスリット３０が形成されている。スライダ２４の端部には、回転軸３２とは反対側の端部に凹部３４が形成されている。凹部３４を形成することで、相対的に、凹部３４に隣接してスライダ２４の先端に凸部３６が形成される。なお、凸部３６は、スライダ２４の端部を屈曲させて形成したものであり、その裏面は窪んだ形状になっている。
【００２９】
光モジュールは、揺動部材３８（又はラッチ）を有する。揺動部材３８は、ケース１０に固定された回転軸３２の周りに回転するようになっている。揺動部材３８にはラッチ部４０（例えばピン）が設けられている。ケース１０に形成されたスリット２８は、揺動部材３８を回転軸３２の周りに回転させたときのラッチ部４０の軌跡に沿って形成されている。したがって、ケース１０のスリット２８は、ラッチ部４０の移動をガイドする。
【００３０】
これに対して、スライダ２４に形成されたスリット３０は、ラッチ部４０の軌跡からずれて形成されている。詳しくは、図１Ａに示すように、スライダ２４が回転軸３２から最も離れた位置にあるとき、スリット３０は、ラッチ部４０が回転したときに描く円の一部（弧）上の１点からその円の外側に至るように（例えば接線方向）延びている。そして、揺動部材３８を回転軸３２の周りに回転させると、ラッチ部４０によってスライダ２４は回転軸３２の方向に引き寄せられる（図２Ａ）。逆に、回転軸３２に最も近づいたスライダ２４は、揺動部材３８を回転軸３２の周りに回転させると、ラッチ部４０によって回転軸３２から離れる方向に移動する。すなわち、光モジュールには、揺動部材３８の回転をスライダ２４の直線往復運動に変換するカム機構が採用されている。
【００３１】
揺動部材３８は、回転軸３２を中心に第１位置Ｐ１（図１Ａ）と第２位置Ｐ２（図２Ａ）の間で弧を描く動きをするようにケース１０に取り付けられている。揺動部材３８は、弧を描く動きが直線運動に変換されるようにしてスライダ２４をスライドさせるラッチ部４０を有する。揺動部材３８は、図２Ｂに示すように、光ファイバ５６の挿入口１８を覆う位置と挿入口１８を避ける位置との間を動くカバー部４２を有する。
【００３２】
光モジュールは、図１Ｂ、図２Ｂ及び図３Ｂに示すように、スライダ２４の動きに連動して、ケース１０から出入りする部分を有するように動く従動部材４４を有する。従動部材４４は、ケース１０から出入りする方向に延びる板バネである。従動部材４４は第１穴２０から出入りするようになっている。第１穴２０がケース１０の壁部の厚み方向に対して屈曲した斜めの方向に形成されているので、従動部材４４は、９０°未満の角度で湾曲する。従動部材４４は、第２穴２２を通して、ケース１０の内側でスライダ２４に固定されている。
【００３３】
ケージ４８にケース１０が装着された状態（図２Ａ及び図２Ｂ）で、揺動部材３８を第２位置Ｐ２から第１位置Ｐ１の方向（スライダ２４がケージ４８内にさらに進行する方向）に動かしたときに、従動部材４４の先端がケージ４８の内面に接触する（図３Ｂ参照）。そして、揺動部材３８が第１位置Ｐ１の方向に到達したときに、従動部材４４がケース１０の内部で屈曲する。このように、従動部材４４は、その長さが設定されている。ケース１０は、内部に従動部材４４の動きを規制するガイド部４６を有する。ガイド部４６は、従動部材４４の屈曲量を規制する。
【００３４】
図１Ａ及び図１Ｂに示すように、揺動部材３８が第１位置Ｐ１にあるときに、従動部材４４の一部がケース１０から突出してケース１０のケージ４８への挿入を妨げる。このとき、カバー部４２は、光ファイバ５６の挿入口１８を避ける位置にあって光ファイバ５６の差し込みを許容する。
【００３５】
図２Ａ及び図２Ｂに示すように、揺動部材３８が第２位置Ｐ２にあるときに、従動部材４４の一部はケース１０の外側から退避してケース１０のケージ４８への挿入を許容する。このとき、カバー部４２は、光ファイバ５６の挿入口１８を覆う位置にあって光ファイバ５６の差し込みを妨げる。
【００３６】
以下、本実施の形態に係る光モジュールの作用について説明する。図１Ａ及び図１Ｂは、光モジュールをケージに装着することができない状態を説明する図である。図２Ａ及び図２Ｂは、光モジュールをケージに装着するときの状態を説明する図である。図３Ａ及び図３Ｂは、光モジュールをケージに固定した状態を説明する図である。
【００３７】
光モジュールは、ケージ４８への脱着が可能な光モジュールである。光モジュールを挿入するケージ４８は、マザーボード５０に搭載されている。ケージ４８は、光モジュールの電気コネクタ１６との電気的接続を行うコネクタ５２と、光モジュールの抜け止め５４を有する。抜け止め５４は、ケージ４８内に突出する。
【００３８】
図１Ａ及び図１Ｂに示すように、揺動部材３８が第１位置Ｐ１にあるとき、光モジュールをケージ４８に挿入しようとすると、従動部材４４の第１穴２０からの突出部が、ケージ４８への光モジュールの挿入を妨げる。そのため、光モジュールをケージ４８に挿入することができない。光ファイバ５６を光モジュールに装着した状態では、揺動部材３８が第１位置Ｐ１にあるため、光モジュールをケージ４８に挿入することができない。
【００３９】
図２Ａ及び図２Ｂに示すように、揺動部材３８を第１位置Ｐ１から第２位置Ｐ２に回転させると、従動部材４４の第１穴２０からの突出方向とは反対方向にスライダ２４が移動するため、従動部材４４は、ケース１０の第１穴２０からケース１０の内側に収まる。そのため、光モジュールをケージ４８に挿入することができる。したがって、揺動部材３８を第２位置Ｐ２に配置して、光モジュールをケージ４８に挿入する。ただし、揺動部材３８が第２位置Ｐ２にあるときには、カバー部４２が妨げとなって光ファイバ５６を光モジュールの挿入口１８に挿入することができない。したがって、光ファイバ５６を装着せずに、光モジュールをケージ４８に挿入する。
【００４０】
本実施形態によれば、光ファイバ５６を差し込んだままでは光モジュールをケージ４８に装着することができないため、突入電流による過大な光信号の送信を防止することができる。
【００４１】
光モジュールをケージ４８に固定するには、図３Ａ及び図３Ｂに示すように、揺動部材３８を、光モジュールをケージ４８に挿入したときの第２位置Ｐ２から第１位置Ｐ１に回転させる。揺動部材３８の回転に伴って、上述したカム機構によって、スライダ２４が移動する。詳しくは、スライダ２４が、ケージ４８の奥にさらに進むように移動する。これにより、スライダ２４の凹部３４に抜け止め５４の先端がかみ合い、光モジュールが抜けなくなる。
【００４２】
揺動部材３８が第１位置Ｐ１に配置されると、光ファイバ５６の挿入口１８が解放されるので、光ファイバ５６を装着することができる（図３Ａ及び図３Ｂ参照）。
【００４３】
揺動部材３８を第２位置Ｐ２から第１位置Ｐ１に移動させるとき、従動部材４４の先端がケージ４８の内面が接触する（図３Ａ及び図３Ｂ参照）。そして、ケース１０の内面に押されて、従動部材４４が湾曲する。従動部材４４の動きは、ガイド部４６によって規制されているが、ガイド部４６の存在しない領域で湾曲によって従動部材４４が回路基板１４に接触することを避けるため、従動部材４４を回路基板１４から隙間をあけて配置することが好ましい。
【００４４】
ケージ４８から光モジュールを外すには、図２Ａ及び図２Ｂに示すように、光ファイバ５６を光モジュールから外して、揺動部材３８を第２位置Ｐ２に移動させる。これにより、スライダ２４が、光モジュールを抜く方向に移動する。スライダ２４の移動により、スライダ２４の後端と溝２６の端との間に隙間が形成されるので、スライダ２４の凹部３４に隣接する凸部３６が、抜け止め５４に押されて窪みことができる。凸部３６が窪んで低くなることで、相対的に抜け止め５４が凸部３６を越えて凹部３４の外側に移動する。こうして、凹部３４と抜け止め５４の係合が解除されるので、光モジュールを外すことができる。
【００４５】
図４及び図５は、上述した実施の形態に追加可能な構造を説明する図である。詳しくは、図４は、挿入口１１８を開けた状態を示し、図５は、カバー部１４２によって挿入口１１８を閉じた状態を示す。なお、光モジュールは、光素子１１２、回路基板１１４、ケース１１０を含む。回路基板１１４は、固定金属１５８によって固定されている。
【００４６】
カバー部１４２は、弾性変形可能な板状部材（例えば板バネ）である。カバー部１４２は、ケース１１０の内部に配置されている。カバー部１４２は、変形しながら挿入口１１８を遮る経路を移動するようになっている。カバー部１４２の経路は、屈曲経路１６０（図５参照）を有している。そのため、屈曲ガイド部１６２がケース１１０に取り付けられており、カバー部１４２を屈曲経路１６０に沿って移動させている。また、カバー部１４２の経路は、直線経路１６４も有しており、カバー部１４２を直線経路１６４に沿って移動させる直線ガイド部１６６がケース１１０に取り付けられている。屈曲ガイド部１６２及び直線ガイド部１６６の少なくとも一方は、ケース１１０とは別部材であってもよいし、ケース１１０と一体的に形成してもよい。
【００４７】
カバー部１４２は、挿入口１１８を遮る位置を通る側の端部に第１係合部１６８を有している。また、図５に示すようにカバー部１４２が挿入口１１８を遮るときに第１係合部１６８と係合する第２係合部１７０が、ケース１１０の内部に取り付けられている。図５に示すように、カバー部１４２が挿入口１１８を遮る位置にあるときに、第１係合部１６８及び第２係合部１７０が係合することで、カバー部１４２を保持することができる。
【００４８】
図６は、カバー部１４２を係合した状態を説明する図であり、図７は、カバー部１４２の係合を解除した状態を説明する図である。第１係合部１６８及び第２係合部１７０の少なくとも一方は、弾性変形可能な部位を有している。弾性可能な部位の弾性変形によって、第１係合部１６８及び第２係合部１７０は、係合及び解除が可能になっている。なお、第２係合部１７０は、凹部１７２内に設けられている。
【００４９】
揺動部材１３８は、回転軸１３２を中心に回転する本体部１７４を含む。揺動部材１３８は、本体部１７４とカバー部１４２を連結する連結部１７６を含む。連結部１７６は、弾性変形可能な板状部材（例えば板バネ）であり、図５に示すように、揺動部材１３８の動きに伴って変形しながら移動する。連結部１７６は、ケース１１０の外側に配置されている。連結部１７６と本体部１７４との取り付け部は、回転軸１３２から離れた位置にある。揺動部材１３８の第２位置Ｐ２から第１位置Ｐ１への動きに伴って取り付け部が動く方向に、連結部１７６は、本体部１７４（取り付け部）から延びている。
【００５０】
図４及び図５に示す光モジュールによれば、揺動部材１３８の動きに連動して光モジュールの挿入口１１８の開閉を行うことができるため、ダストキャップを廃止することができ、コストを削減することができる。    
【００５１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５２】
１０  ケース、１２  光素子、１４  回路基板、１６  電気コネクタ、１８  挿入口、２０  第１穴、２２  第２穴、２４  スライダ、２６  溝、２８  スリット、３０  スリット、３２  回転軸、３４  凹部、３６  凸部、３８  揺動部材、４０  ラッチ部、４２  カバー部、４４  従動部材、４６  ガイド部、４８  ケージ、５０  マザーボード、５２  コネクタ、５４  抜け止め、５６  光ファイバ、１１０  ケース、１１２  光素子、１１４  回路基板、１１８  挿入口、１３２  回転軸、１３８  揺動部材、１４２  カバー部、１５８  固定金属、１６０  屈曲経路、１６２  屈曲ガイド部、１６４  直線経路、１６６  直線ガイド部、１６８  第１係合部、１７０  第２係合部、１７２  凹部、１７４  本体部、１７６  連結部。
【図１Ａ】
2011141520.tif 000003
【図１Ｂ】
2011141520.tif 000004
【図２Ａ】
2011141520.tif 000005
【図２Ｂ】
2011141520.tif 000006
【図３Ａ】
2011141520.tif 000007
【図３Ｂ】
2011141520.tif 000008
【図４】
2011141520.tif 000009
【図５】
2011141520.tif 000010
【図６】
2011141520.tif 000011
【図７】
2011141520.tif 000012